(57)【要約】  【課題】  携帯端末の通信機能を有効に生かしながら、エンターテイメント性の高い動画を上記携帯端末に配信するための動画生成配信システムを提供する。  【解決手段】  本発明の実施の形態に係る動画生成配信システム１は、携帯電話端末２０とサーバ１０との間で画像の送受信を行うシステムであり、携帯電話端末２０はカメラ機能及び無線通信機能を備え、無線通信機能によりサーバ１０に複数枚の静止画を送信するよう構成され、サーバ１０は、所定の順序で配置された受信した複数枚の静止画に基づく動画を生成し、携帯電話端末２０にその動画を配信するように構成されている。【選択図】  図１
2005045757.tif 000002
【特許請求の範囲】
【請求項１】
携帯端末とサーバとの間で画像の送受信を行う動画生成配信システムであって、
前記携帯端末は、カメラ機能及び無線通信機能を備え、前記無線通信機能により複数枚の静止画を前記サーバに送信するよう構成され、
前記サーバは、所定の順序で配置された前記複数枚の静止画に基づく動画を生成し、前記携帯端末にその動画を配信するよう構成されていることを特徴とする動画生成配信システム。
【請求項２】
無線通信機能を備えた携帯端末との間で画像の送受信を行う動画生成配信システムに用いられるサーバであって、
前記サーバは、前記携帯端末から受信した複数枚の静止画を所定の順序で配置する動画を生成し、前記携帯端末にその動画を配信するよう構成されていることを特徴とする動画生成配信システム用サーバ。
【請求項３】
前記サーバは、前記動画に所定の画像処理を施すためのデータが格納されたデータベースを備えていることを特徴とする請求項２記載の動画生成配信システム用サーバ。
【請求項４】
前記サーバは、前記データベース内に、複数枚の静止画を同時に合成表示する画像処理を行うためのエフェクトデータを格納していることを特徴とする請求項３記載の動画生成配信システム用サーバ。
【請求項５】
前記サーバは、前記データベース内に、動画の背景画像となるテンプレートデータ及び動画のバックミュージックとなるミュージックデータを格納していることを特徴とする請求項３又は４記載の動画生成配信システム用サーバ。
【請求項６】
動画生成配信システムにより、携帯端末とサーバとの間で画像の送受信を行う動画生成配信方法であって、
前記携帯端末から無線通信機能により前記サーバに複数枚の静止画を送信する静止画送信工程と、
前記サーバにおいて、前記複数枚の静止画を所定の順序で配置した動画を生成する動画生成工程と、
前記サーバから前記携帯端末に前記動画を配信する動画配信工程と、を備えていることを特徴とする動画生成配信方法。
【請求項７】
前記動画生成工程は、複数枚の前記静止画を同時に合成表示するための画像合成処理工程を含んでいることを特徴とする請求項６記載の動画生成配信方法。
【請求項８】
無線通信機能を有する携帯端末との間で画像の送受信を行うコンピュータに動画生成配信処理を実行させるための動画生成配信プログラムであって、
前記携帯端末から複数の静止画を受信するステップと、
前記複数枚の静止画を所定の順序で配置した動画を生成するステップと、
前記携帯端末に前記動画を配信するステップと、をコンピュータに実行させることを特徴とする動画生成配信プログラム。
【請求項９】
前記携帯端末は、ＧＰＳ機能を備えており、前記サーバは、前記携帯端末から送信されてくる位置情報を反映させた動画を生成することを特徴とする請求項１記載の動画生成配信システム。
【請求項１０】
カメラ機能及び無線通信機能を備えた携帯端末との間で画像の送受信を行う動画生成配信システムに用いられるサーバであって、
前記サーバは、生成される動画の基となる原動画を格納したデータベースと、
前記原動画の一部に前記携帯端末から受信した画像を合成して動画を生成する動画生成手段と、
前記携帯端末にその動画を配信する配信手段と、を備えていることを特徴とする動画生成配信システム用サーバ。
【請求項１１】
前記動画生成手段は、前記携帯端末から送信されてくる位置情報に基づいて前記動画を生成することを特徴とする請求項１０記載の動画生成配信システム用サーバ。
【請求項１２】
動画生成配信システムにより、携帯端末とサーバとの間で画像の送受信を行う動画生成配信方法であって、
前記携帯端末から無線通信機能により前記サーバに画像を送信する画像送信工程と、
前記サーバにおいて、サーバ内に格納されている原動画の一部に前記携帯端末からの画像を合成して動画を生成する動画生成工程と、
前記サーバから前記携帯端末に前記動画を配信する動画配信工程と、を備えていることを特徴とする動画生成配信方法。
【請求項１３】
無線通信機能を有する携帯端末との間で画像の送受信を行うコンピュータに動画生成配信処理を実行させるための動画生成配信プログラムであって、
前記携帯端末から画像を受信するステップと、
コンピュータ内に格納されている原動画の一部に前記画像を合成して動画を生成するステップと、
前記携帯端末に前記動画を配信するステップと、をコンピュータに実行させることを特徴とする動画生成配信プログラム。
【発明の詳細な説明】
【技術分野】
【０００１】
本発明は、無線通信を介して画像を送配信するシステムに関し、特に、携帯端末とサーバとの間で静止画及び動画の送配信を行うシステムに関する。
【背景技術】
【０００２】
近年、カメラ機能付き携帯電話やカメラ機能付きＰＤＡ等が急激に普及してきている。そして、これら携帯端末で撮影した画像を、無線通信を介して、インターネットメールで知人に送信したり、また、画像配信サービス事業者が、静止画や動画の画像コンテンツをユーザの携帯端末に配信するサービスが行われたりしている。
【０００３】
例えば、下記特許文献１には、カメラ機能又はビデオカメラ機能を有する携帯電話端末、ＰＨＳ、ＰＤＡ等で撮影した画像（動画又は静止画）を、無線通信回線及びインターネットを介してサーバに蓄積し、また、逆に、サーバに蓄積された画像を、携帯電話端末等に配信するシステムが開示されている。
【特許文献１】特開２００２−７７８６０号公報
【０００４】
一方、携帯電話やＰＨＳにおいては、着信待ちの際に、待受画面として、ディスプレイにアニメのキャラクター等を表示する機能が搭載されている。また、携帯電話等のアドレスに登録されている個人に、その人を撮影した画像を関連づけて登録しておき、その人からの電話を着信した際に、その撮影画像を受信画面としてディスプレイに表示するような機能も搭載されている。
【０００５】
例えば、下記特許文献２には、携帯電話に着脱式のデジタルカメラを取り付け、このカメラで撮影した静止画を、その携帯電話の待受画面として設定する機能が開示されている。
【特許文献２】特開２００２−７７７０１号公報
【発明の開示】
【発明が解決しようとする課題】
【０００６】
しかしながら、上記特許文献１に記載の技術は、単に、ネットワークを介して画像情報を送受信するだけである。また、特許文献２に記載の発明は、カメラ機能付き携帯電話で撮影した画像に対して、縮小や表示色変更等の簡単な処理を施して、その携帯電話に表示するだけである。これは、一般に、携帯電話の画像処理能力やメモリ容量は小さく、複雑な画像処理を施せないためであるが、このような簡単な画像処理だけでは、エンターテイメント性に欠ける。
【０００７】
本発明は、このような課題に鑑みてなされたものであり、携帯端末の無線通信機能を有効に生かしながら、エンターテイメント性の高い動画を上記携帯端末に配信するための動画生成配信システムを提供することを目的とする。
【課題を解決するための手段】
【０００８】
上記課題を解決するために、本発明に係る動画生成配信システムは、携帯端末とサーバとの間で画像の送受信を行う動画生成配信システムであって、前記携帯端末は、カメラ機能及び無線通信機能を備え、前記無線通信機能により複数枚の静止画を前記サーバに送信するよう構成され、前記サーバは、所定の順序で配置された前記複数枚の静止画に基づく動画を生成し、前記携帯端末にその動画を配信するよう構成されていることを特徴とする。
【０００９】
また、本発明に係る動画生成配信システム用サーバは、無線通信機能を備えた携帯端末との間で画像の送受信を行う動画生成配信システムに用いられるサーバであって、前記サーバは、前記携帯端末から受信した複数枚の静止画を所定の順序で配置する動画を生成し、前記携帯端末にその動画を配信するよう構成されていることを特徴とする。
【００１０】
また、本発明に係る動画生成配信方法は、動画生成配信システムにより、携帯端末とサーバとの間で画像の送受信を行う動画生成配信方法であって、前記携帯端末から無線通信機能により前記サーバに複数枚の静止画を送信する静止画送信工程と、前記サーバにおいて、前記複数枚の静止画を所定の順序で配置した動画を生成する動画生成工程と、前記サーバから前記携帯端末に前記動画を配信する動画配信工程と、を備えていることを特徴とする。
【００１１】
また、本発明に係る動画生成配信プログラムは、無線通信機能を有する携帯端末との間で画像の送受信を行うコンピュータに動画生成配信処理を実行させるための動画生成配信プログラムであって、前記携帯端末から複数の静止画を受信するステップと、前記複数枚の静止画を所定の順序で配置した動画を生成するステップと、前記携帯端末に前記動画を配信するステップと、をコンピュータに実行させることを特徴とする。
【発明の効果】
【００１２】
本発明に係る動画生成配信システムによれば、携帯端末の無線通信機能を有効に生かしながら、複数枚の静止画からエンターテイメント性の高い動画を生成し、その動画を携帯端末に配信することができる。
【発明を実施するための最良の形態】
【００１３】
（第１の実施の形態）
以下、図面を参照しながら本発明の第１の実施の形態について詳細に説明する。
まず、第１の実施の形態に係る動画生成配信システム１の構成について説明する。図１は、動画生成配信システム１の概略構成を示す図である。同図に示すように、動画生成配信システム１は、サーバ１０と複数の携帯電話端末２０Ａ乃至Ｃを含む。サーバ１０は、携帯電話端末２０から送信されてくる複数枚の静止画から動画であるムービーを生成・配信するサービスを提供する機能を有している。携帯電話端末２０は、無線通信により基地局３０と接続され、さらにインターネット（公衆回線網）４０を介してサーバ１０に接続されている。また、図示は省略するが、携帯電話端末２０には、画像を表示するためのディスプレイと、少なくとも静止画を撮影するためのカメラが搭載されている。
【００１４】
図２は、サーバ１０の概略構成を示す図である。同図に示すように、サーバ１０は、各種演算処理を行う演算装置１１、記憶装置１２及びＤＢ（データベース）１３を含む。ＤＢ１３内には、動画を生成する際に実行される各種プログラムを格納したプログラムＤＢ１３１、携帯電話端末２０のディスプレイに表示されるメニュー画面のデータを格納した表示メニューＤＢ１３２、動画のフレームや背景画像からなる各種テンプレートが格納されたテンプレートＤＢ１３３、動画のバックグランドで演奏される各種音楽が格納されたバックミュージックＤＢ１３４、画像に画像処理を施すための各種エフェクトが格納されたエフェクトＤＢ１３５、各種サンプル写真が格納されたサンプル写真ＤＢ１３６が含まれる。
【００１５】
次に、上記構成において、携帯電話端末２０から送信される複数枚の静止画から、ムービーを生成する処理について詳細に説明する。図３は、ムービーを生成する際の処理の流れを示すフローチャートである。
【００１６】
まず、ステップ１０（以下、「ステップ」を「Ｓ」とする）において、ユーザが携帯電話端末２０を使用して、サーバ１０が提供するムービー生成配信サービスのトップページにアクセスする。図４（ａ）は、ユーザがトップページにアクセスした際に、携帯電話端末２０のディスプレイに表示される画面の内容を示す図である。このトップページの画面は、演算装置１１が表示メニューＤＢ１３２内のデータを参照し、必要なデータを携帯電話端末２０に配信することで表示される。同図に示すように、画面には、「Top Page」の文字、キャラクターや広告などの「バナー」、当該サービスに関する「説明書き」、及び次の各種設定ページに進むためのリンク「ボタン」が表示される。
【００１７】
次に、ユーザがリンクボタンを選択すると、各種設定画面に進み（Ｓ１１）、ユーザはムービーを生成するための各種設定を行う。図４（ｂ）は、携帯電話端末２０に表示される各種設定画面の内容を示す図である。同図に示すように、設定画面には、「テンプレート」、「バックミュージック」、「エフェクト」、「テキスト入力」及び「写真送信」のリンクボタンが表示される。この設定画面も、リンクボタンが押されたことを示す信号を受信したサーバ１０内の演算装置１１が、表示メニューＤＢ１３２を参照して、必要なデータを携帯電話端末２０に配信することで表示される。
【００１８】
ここで、各種設定の順番は、自由であるが、本実施の形態では、図３のフローチャートの順序に従う。まず、ユーザは、図４（ｂ）の設定画面で、「テンプレート」を選択し、Ｓ１２において、テンプレートを設定する。この設定は、テンプレートＤＢ１３３内に格納されているテンプレートデータの中から、ユーザが所望のテンプレートを選択することで行われる。図５は、ＤＢ１３内のデータの内容の一部を示す図であり、図５（ａ）が、テンプレートＤＢ１３３内のデータの内容を示す図である。同図に示すように、テンプレートＤＢ１３３内には、「ハート」、「お花畑」、「窓枠」及び「フラクタル」のテンプレートが格納されているので、ユーザは、この中から所望のテンプレートを選択すれば良い。「ハート」のテンプレートは、背景画像として、ハートマークの画像が表示されるもの、「お花畑」は、背景画像としてお花畑の画像が表示されるもの、「窓枠」は、背景画像として窓枠のフレームが表示されるもの、「フラクタル」は、背景画像としてフラクタル画像が表示されるものである。ここで設定されたテンプレートの内容は、記憶装置１２に一時的に格納される。
【００１９】
次に、ユーザは、図４（ｂ）の設定画面で、「バックミュージック」を選択し、Ｓ１３において、バックミュージックを設定する。この設定は、図５（ｂ）に示す、バックミュージックＤＢ１３４内のデータから、ユーザが所望のバックミュージックを選択することで行われる。同図に示すように、バックミュージックＤＢ１３４内には、「メロディー１」乃至「メロディー４」が格納されている。ここで設定されたバックミュージックの内容は、一時的に記憶装置１２に格納される。
【００２０】
続いて、ユーザは、図４（ｂ）の設定画面で、「エフェクト」を選択し、Ｓ１４において、エフェクトを設定する。この設定は、図５（ｃ）に示す、エフェクトＤＢ１３５内のデータから、ユーザが所望のエフェクトを選択することで行われる。同図に示すように、エフェクトＤＢ１３５内には、「白黒」、「パン」、「ズーム」、「ランダム」及び「合成」のエフェクトが格納されている。「白黒」のエフェクトは、ムービーを白黒画像に処理するものであり、「パン」のエフェクトは、ムービーに視点移動の効果を与える処理であり、「ズーム」のエフェクトは、ムービーを拡大処理するものであり、「ランダム」のエフェクトは、複数の写真画像をランダムな順番に切替えたムービーとする処理であり、「合成」のエフェクトは、２枚の写真画像を同時に合成して表示するムービーとする処理である。ここで設定されたエフェクトの内容は、記憶装置１２内に格納される。
【００２１】
続いて、ユーザは、図４（ｂ）の設定画面で、「テキスト入力」を選択し、Ｓ１５において、ムービーに表示するテキスト文字を設定する。このテキスト文字は、ユーザが携帯電話端末２０のキーを押すことで入力される。入力されたテキストは、携帯電話端末２０からサーバ１０に送信され、演算装置１１により、記憶装置１２内に格納される。なお、ムービーにテキストを挿入する必要がない場合には、本ステップを省略しても良い。
【００２２】
続いて、上記各種設定を終えたユーザは、Ｓ１６に進み、ムービー生成の土台となる複数の写真画像を選択し、サーバ１０に送信する。この送信される写真画像は、予め携帯電話端末２０のカメラ機能を用いて撮影され、携帯電話端末２０のメモリに格納されている写真画像の中から、ユーザが適宜選択する。本実施の形態では、４枚の写真画像を選択するものとするが、複数枚であれば枚数は適宜変更可能である。具体的には、図４（ｂ）において「写真送信」が選択されると、携帯電話端末２０のメールソフトが起動され、送信すべきメールの宛先がサーバ１０内のアドレスに設定される。ユーザは、メモリに格納されている写真画像から、ムービー化したい写真画像を４枚選択し、このメールに添付することで、サーバ２０に送信することができる。写真画像を受信したサーバ１０は、受信した画像を記憶装置１２内に格納する。なお、サーバ１０のサンプル写真ＤＢ１３６内には、予めサンプル写真画像が格納されているので、ユーザが、この中から画像を選択できるように構成しても良い。この場合、図４（ｂ）の設定画面において、写真選択のボタンを追加し、サンプル写真ＤＢ１３６へリンクさせれば良い。
【００２３】
次に、Ｓ１７に進み、サーバ１０の演算装置１１が、記憶装置１２に格納されている写真画像に対して、上記Ｓ１２乃至Ｓ１５での設定に従った画像処理を施し、ムービーを作成する。この画像処理は、プログラムＤＢ１３１内に格納されている各種プログラムを用いてなされる。ムービーの生成にあたっては、４枚の写真画像を順に配置したムービーがデフォルトとして生成される。その上で、上記設定に従った画像処理がこのムービーに対して施される。例えば、Ｓ１２において「窓枠」のテンプレート、Ｓ１３において「メロディー１」のバックミュージック、Ｓ１４において「ズーム」のエフェクトが選択され、Ｓ１５において「FIELD SYSTEM」のテキストが入力された場合には、窓枠の中に４枚の写真画像が「FIELD SYSTEM」の文字と共に順に表示されながら、写真と文字が次々とズームされ、バックグランドに「メロディー１」が流れるといったムービーが生成される。ここで生成されたムービーは、後でユーザに配信するために、記憶装置１２内に格納される。
【００２４】
そして、生成したムービーを格納した後に、サーバは、その旨を知らせる確認メールを、ユーザの携帯電話端末２０に送信する（Ｓ１８）。このメールには、当該ムービーにアクセスするためのアドレスと、当該ムービーをダウンロードするためのパスワードが記載されている。
【００２５】
続いて、このようにして作成されたムービーを再生する処理について説明する。図６は、ムービーを再生する際の処理の流れを示すフローチャートである。同図に示すように、まず、ムービーをダウンロードしたいユーザは、上記確認メールのアドレスリンクから、ダウンロードページにアクセスする（Ｓ２０）。続いて、確認メールに記載れているダウロードパスワードを携帯電話端末２０から入力する（Ｓ２１）。パスワードを受信したサーバ１０は、そのパスワードが正しければ、記憶装置１２に格納されているムービーを携帯電話端末２０に配信する。すなわち、ユーザは当該ムービーをダウンロードすることができる（Ｓ２２）。ダウンロードされたムービーは、携帯電話端末２０内のメモリに格納されるので、ユーザは適宜ムービーを再生することができる（Ｓ２３）。詳しい説明は省くが、ダウンロードしたムービーを、待受画面や着信画面に設定することができる。
【００２６】
なお、本実施の形態に係る動画生成配信システム１の機能は、サーバ１０や携帯電話端末２０にこれらの機能を実現するためのプログラムをインストールすることで実現される。サーバ１０へのプログラムのインストールは、プログラムを格納したＣＤ−ＲＯＭ等の記録媒体により、直接コンピュータにインストールされても良いし、ネットワークを介してインストールされるように構成しても良い。携帯電話端末２０へのプログラムのインストールは、ネットワークを介してインストールしても良いし、端末製造時にプログラムを組み込んでも良い。
【００２７】
以上、詳細に説明したが、本実施の形態に係る動画生成配信システムによれば、カメラ機能付き携帯電話端末で撮影した複数枚の静止画を受信したサーバが、エンターテイメント性の高いムービーを生成し、携帯電話端末に配信するよう構成されているので、ユーザは簡単に自分の携帯電話端末上でムービーを楽しむことができる。また、ムービーの生成はサーバで行われるので、携帯電話端末が高度な画像処理能力を具備する必要もない。また、複数枚の静止画からムービーを作成しているので、単に一枚の静止画からムービーを作成するのと比較して、よりエンターテイメント性の高いムービーを作成することが可能であり、ユーザの工夫やサーバ側の処理機能の充実により、多種多様なムービーを作成することができる。例えば、二人の画像を合成したムービーを作成したい場合には、一枚の静止画であれば二人が写っている画像が必要になるが、複数枚の静止画の場合には、それぞれ単独で写っている静止画を合成したムービーを簡単に作成可能である。
【００２８】
なお、本発明は、本実施の形態に係る構成に限られることなく、本発明の主旨を逸脱しない範囲内で、種々の変更が可能である。例えば、ムービーのダウンロードに関しては、ムービーを作成したユーザ本人だけでなく、その友人もダウンロードできるように構成することも可能である。この場合には、ユーザが所望のメールアドレスを入力するステップを設け、そこで入力されたアドレスに対しても、ムービーの所在アドレス及びパスワードを送信するようにサーバを構成すれば良い。
【００２９】
また、本実施の形態に係る動画生成配信システムを用いて有料サービスを行う場合には、課金システムと組み合わせることが可能である。この場合には、基地局とインターネットの途中に課金システムを配置し、本サービスを利用するユーザを特定して、従量制又は定額制で課金するように構成すれば良い。
【００３０】
また、本実施の形態では、ユーザの端末として携帯電話端末を用いているが、これに限定されるものではなく、カメラ機能及び無線通信機能を持った携帯端末であれば良い。例えば、カメラ機能を備えたＰＨＳ、カメラ機能及び無線通信機能を持ったＰＤＡや携帯ゲーム機、無線通信機能を備えたデジタルカメラ等であっても良い。ここで、カメラ機能及び無線通信機能は、本体に内蔵されているものだけでなく、オプション機能や外付け機器により後付で実現されていても良い。
【００３１】
また、本実施の形態では、写真画像を携帯電話端末からサーバに送信するのに、メール機能を用いているが、ユーザがサーバにアクセスしている際に、携帯電話端末内のフォルダを直接指定して、サーバへ送信するように構成しても良い。また、バックミュージックは、サーバのミュージックＤＢ内のデータでなく、携帯電話端末内のミュージックデータを用いるようにしても良い。この場合には、メール機能等を用いて、携帯端末内のミュージックデータをサーバに送信するようにすれば良い。
【００３２】
また、ＤＢ内のデータについては、これらに限定されるものではなく、適宜、データの追加や変更が可能であることはいうまでもない。
【００３３】
また、本実施の形態では、テンプレート、バックミュージック等の設定をユーザが一つ一つ行っているが、これらの設定を自動的に演出してくれる演出パターンを用意しておいても良い。この場合には、ＤＢ内に各種演出パターンを格納した演出パターンＤＢを用意しておく。演出パターンとしては、例えば、「出会い」、「冒険」、「エレガント」、「ダンディー」等の所定のテーマを持った演出パターンが考えられる。これらの各演出パターンには、テンプレート設定、バックミュージック設定、エフェクト設定及びテキスト入力に関して、その演出パターンのテーマに合うような所定のデータが予め関連づけられている。例えば、「出会い」の演出パターンであれば、テンプレートとして、ハート型の枠を設定し、エフェクト設定として、二人の関係を際だたせるように二人の画像が画面の左右から出てきて徐々に近づいていき、中央でぴったり合うとホワイトアウトしていくように設定し、テキスト設定として、ホワイトアウトする前に二人の名前が表示されるように設定するといった演出パターンが考えられる。
【００３４】
このように演出パターンを用意しておけば、ユーザは、所望の演出パターンを選択すれば、後は写真画像を送信するだけで、自動的に所望のムービーが生成されるので、より手軽にムービーの作成を行うことができる。また、さらに、それぞれの演出パターンによるサンプルムービー（サンプル写真を用いる）を提供するように構成しても良い。こうすれば、ユーザは各演出パターンのイメージを捉え易く、写真画像を選択する際の参考にもなる。
【００３５】
また、最近では、ＧＰＳ機能を内蔵した携帯電話端末が提供されているが、このＧＰＳと連動させてムービーを生成するように構成しても良い。具体的には、ムービー生成配信サービスのページ内に、「ＧＰＳ位置情報取得」のコンテンツを含めておく。ユーザが、このＧＰＳコンテンツを利用して、携帯電話端末２０の位置情報を送信してくると、サーバ２０は、その地域に相応しいテンプレートを提供するように構成すれば良い。例えば、北海道なら衣装がエスキモー、水戸なら黄門様、大阪なら食い倒れ人形の画像が提供される。このような地域別の画像は、テンプレートとしてテンプレートＤＢ１３３内に格納するか、サンプル写真ＤＢ１３６にサンプル写真として格納しておいても良い。
【００３６】
（第２の実施の形態）
次に、本発明の第２の実施の形態について詳細に説明する。第２の実施の形態に係る動画生成配信システムの構成は、基本的に図１に示す第１の実施の形態に係るシステムと同様であるので、同じ構成については説明を省略し、異なる構成についてのみ詳細に説明する。第１の実施の形態では、サーバ１０において、複数枚の静止画から動画が生成されるのに対して、第２の実施の形態は、サーバ側に予め演出された原動画が用意されており、この原動画に携帯電話端末から送信されてくる画像が合成されてムービー（動画）が生成されることが大きな特徴である。
【００３７】
まず、第２の実施の形態に係るサーバ５０の構成について説明する。サーバ５０は、第１の実施の形態のサーバ１０と同様に、演算装置５１、記憶装置５２及びＤＢ５３を備えている。また、ＤＢ５３内には、プログラムＤＢ５３１、表示メニューＤＢ５３２、テンプレートＤＢ５３３、サウンドＤＢ５３４、エフェクトＤＢ５３５、静止画ＤＢ５３６、原動画ＤＢ５３７、テキストＤＢ５３８、オブジェクトＤＢ５３９、フィルターＤＢ５４０が含まれる。
【００３８】
プログラムＤＢ５３１には、ムービーを生成する際に実行される各種プログラム、表示メニューＤＢ５３２には、携帯電話端末２０のディスプレイに表示されるメニュー画面のデータ、テンプレートＤＢ５３３には、静止画やテキスト等の各種テンプレート、サウンドＤＢ５３４には、ムービーのバックグラウンドで演奏される各種音楽、エフェクトＤＢ５３５には、画像やサウンドにデジタル処理を施す等、各種データにエフェクト処理を施すための各種エフェクトが格納されている。
【００３９】
また、静止画ＤＢ５３６には、携帯電話端末２０から送信されてきた静止画、原動画ＤＢ５３７には、ムービーの基となる映画やＣＭ等の原動画、テキストＤＢ５３８には、ユーザが携帯電話端末２０を介して入力した文字データ、オブジェクトＤＢ５３９には、原画像に追加するためのＣＧや３Ｄ画像等のオブジェクト、フィルターＤＢ５４０には、フィルムノイズ等の画像全体にかかるフィルターが格納されている。なお、原動画がＣＭや映画のシーンであって、元々サウンドがついている場合には、原動画ＤＢ５３７の原動画に対応したサウンドがサウンドＤＢ５３４に格納されている。また、原動画には、予め静止画を挿入できる部分が示されている。
【００４０】
次に、上記構成のサーバ５０において、ムービーが生成される工程について詳細に説明する。サーバ５０における以下の処理は、プログラムＤＢ５３１に格納されているプログラムに従って、演算装置５１が記憶装置５２等を制御しながら実行する。
【００４１】
まず、ユーザにより、携帯電話端末２０を介して、ムービーを生成するための原動画、オブジェクト、フィルター、エフェクト、サウンド等の選択が行われる。この選択は、上記第１の実施の形態と同様に行われる。なお、原動画に対応するサウンドがサウンドＤＢ５３４内に格納されている際には、ユーザが原画像を選択した際にデフォルトとして対応するサウンドが自動的に選択されるが、他のサウンドへ変更することも勿論可能である。続いて、ユーザの携帯電話端末２０から、ムービーに合成したい静止画及び文字データが送信されてくると、これらのデータが静止画ＤＢ５３６及びテキストＤＢ５３８に格納される。静止画としては、例えば、携帯電話端末２０のカメラ機能を用いて撮影されたユーザ自身や友人の写真画像が想定される。もちろん、静止画やテキストは、テンプレートＤＢ５３３の中からユーザが選択したものであっても良い。
【００４２】
次に、ユーザによって選択・送信されたムービーを構成する素材、すなわち原動画、送付画像、テキスト、オブジェクト及びフィルターを各レイヤーとして、レンダリング処理が行われ、ムービーが生成される。このレンダリング処理の概念を図８に示す。同図に示すように、まず原動画上に静止画が合成され、続いてテキスト、オブジェクト、フィルターという順にレンダリング処理が行われる。また、サウンドもムービーのバックミュージックとして合成される。この際、ユーザが各レイヤーやサウンドへのエフェクトを選択している場合には、各レイヤーにエフェクトがかけられた上でレンダリング処理が実行される。
【００４３】
以下、上記レンダリング処理について詳細に説明する。まず、原動画ＤＢ５３７内の原動画と静止画ＤＢ５３６内の静止画の合成、すなわち原動画レイヤーと静止画レイヤーのレンダリング処理について、図９を参照して詳細に説明する。図９（ａ）は、原動画のある時点での画像を示し、図９（ｂ）は、図９（ａ）に示す画像のうち、当該原動画の静止画が貼り付けられる部分が白抜きで示している。この静止画挿入部分は、原動画に図９（ｃ）に示すマスクをかけることで表示可能であり、この場合は、同図（ｃ）の白色部分をマスクする。また、図９（ｄ）は、携帯端末２０から送信されてきた静止画を表しており、合成にあたっては、同図（ｃ）に示すマスクをかけられる。この場合には、同図（ｂ）の場合とは逆に、黒色部分がマスクされる。そして、上記マスクされた静止画が上記マスクされた原動画に合成され、図９（ｅ）に示すような、原動画の一部がオリジナル画像に入れ替えられたユーザ独自の画像が生成される。なお、原動画と静止画の合成において、上述したマスクを使用しないで合成するように構成しても良い。この場合には、静止画の貼り付ける部分の座標を直接指定することでレンダリング処理が実現される。
【００４４】
上述した静止画の貼り付けを、原動画の全てのコマ毎に行うことで、ムービーが生成される。もちろん、各コマで貼り付け位置の座標が異なる場合には、コマ毎に、静止画の貼り付け位置を検出して貼り付ける必要がある。すなわち、コマ毎に異なるマスクを生成する必要がある。なお、静止画に対するマスクをかける処理は、マスク処理により残される部分に、所望の画像が来るように、適宜画像を拡大、縮小したり、移動できるように構成しても良い。特に、人物画像等の場合には人物がマスク処理により残される部分に位置するように、画像処理を行えることが望ましい。
【００４５】
続いて、上記ムービーに対して、テキストレイヤーをレンダリングする処理においては、テキストＤＢ５３８に格納されている文字データが、オリジナルのタイトル等としてムービー上に表示される。勿論、この文字データは、ユーザの選択により、テンプレートＤＢ５３３内の文字データが使用されても良い。次に、オブジェクトレイヤーをレンダリングする処理においては、オブジェクトＤＢ５３９内に格納されているＣＧキャラクター等のオブジェクトデータがムービー上に合成される。そして、フィルターレイヤーをレンダリングする処理においては、ムービーの画像全体に例えばフィルムノイズ処理が施される。
【００４６】
さらに、図８に示すように、各レイヤーに対して、様々なエフェクト（回転、拡大、縮小、パン、フェードイン、フェードアウト、変形、分割、飛散等）を加えることで、さらに演出の幅を広げることが可能である。また、サウンドに合わせて所定のレイヤーが振動する等、音楽にあわせて出現する様々なエフェクトを用意しても良い。なお、テキストレイヤー、オブジェクトレイヤー及びフィルムレイヤーは、適宜省略可能であり、演出目的により、ユーザがレイヤーの数を増減すれば良い。
【００４７】
このようにして生成されたムービーは、第１の実施の形態のシステムと同様に、ユーザにより携帯電話端末２０にダウンロードされて使用されることになる。
以上、第２の実施の形態について詳細に説明したが、本実施の形態によれば、第１の実施の形態による効果に加えて、ＣＭや映画等の原動画の中にユーザが撮影した静止画を貼り付けることができるので、よりエンターテイメント性の高い動画（ムービー）をユーザに配信することが可能になる。例えば、ＴＶで有名なＣＭのワンシーンにユーザ自身を登場させたり、映画のワンシーンにユーザの友人を登場させたりしたムービーの配信が可能となる。
【００４８】
なお、第２の実施形態においても、本発明の主旨を逸脱しない範囲内で、種々の変更が可能である。
例えば、原動画と静止画の合成処理は、ＣＧレンダリングにより行っても良い。例えば、ユーザからの静止画をＣＧのテクスチャーとして使用する。すなわち、ＣＧでキューブを作成し、それが回転するといった演出パターンの場合には、レイヤーそのものがＣＧにより準備されており、ＣＧのキューブの面に静止画がテクスチャーとして貼り付けられ、ムービーが生成される。また、一例として、モーフィング処理を行う。すなわち、原動画の一部が静止画により徐々に他の静止画に置き換えられる。さらに、ＣＧレンダリングの際に、サウンドと連動させてレイヤーのＣＧオブジェクトが変形したり、リズムに合わせてレイヤーが振動したりするように構成しても良い。
【００４９】
また、本実施の形態においても、第１の実施の形態と同様に、携帯電話端末２０のＧＰＳ機能と連動してムービーを生成可能に構成しても良い。この場合には、携帯電話端末２０からの位置情報に応じて、その地域に相応しいオブジェクトを提供するようにすれば良い。
【００５０】
さらに、本実施の形態においては、原動画の中の所定の位置に、静止画を挿入可能であるが、任意の位置に静止画を挿入できるように構成しても良い。また、本実施の形態においては、原動画に対して静止画を合成しているが、最近は、動画を撮影し送信できる携帯電話端末も普及しており、動画を合成できるように構成しても良い。原動画の一部に携帯端末からの動画を挿入する場合には、同じ時間軸で合成しても良いし、時間軸を異ならせて（例えば、携帯端末からの動画をスローに動かす等）合成するようにしても良い。また、静止画は一枚に限らず、複数枚の静止画を合成できるように構成しても良い。
【００５１】
また、第１及び第２の実施の形態共に、一人のユーザにより動画を生成する処理について説明したが、複数のユーザの携帯電話端末から動画生成サイトにアクセスして、協働で動画を生成可能に構成しても良い。この場合には、パスワードを設定する等して、限定されたユーザのみが、当該動画の生成サイトにアクセスできるように構成すれば良い。また、出来上がった動画に対して、他のユーザがテキストを追加する等の変更を加えられるように構成しても良い。
【図面の簡単な説明】
【００５２】
【図１】本発明の第１の実施の形態に係る動画生成配信システムの概略構成を示す図である。
【図２】本発明の第１の実施の形態に係るサーバの概略構成を示す図である。
【図３】本発明の第１の実施の形態に係るムービーを生成する際の処理の流れを示すフローチャートである。
【図４】本発明の第１の実施の形態に係る携帯電話端末のディスプレイに表示される画面の内容を示す図である。
【図５】本発明の第１の実施の形態に係るＤＢ内のデータの内容の一部を示す図である。
【図６】本発明の第１の実施の形態に係るムービーを再生する際の処理の流れを示すフローチャートである。
【図７】本発明の第２の実施の形態に係るサーバの概略構成を示す図である。
【図８】本発明の第２の実施の形態に係るレンダリング処理の概念を示す図である。
【図９】本発明の第２の実施の形態に係る原動画と静止画の合成を説明するための図である。
【符号の説明】
【００５３】
１              動画生成配信システム
１０，５０      サーバ
１１，５１      演算装置
１２，５２      記憶装置
１３，５３      ＤＢ
１３１，５３１  プログラムＤＢ
１３２，５３２  表示メニューＤＢ
１３３，５３３  テンプレートＤＢ
１３４          バックミュージックＤＢ
５３４          サウンドＤＢ
１３５，５３５  エフェクトＤＢ
１３６          サンプル写真ＤＢ
５３６          静止画ＤＢ
５３７          原動画ＤＢ
５３８          テキストＤＢ
５３９          オブジェクトＤＢ
５４０          フィルターＤＢ
２０            携帯電話端末
３０            基地局
４０            インターネット
【図１】
2005045757.tif 000003
【図２】
2005045757.tif 000004
【図３】
2005045757.tif 000005
【図４】
2005045757.tif 000006
【図５】
2005045757.tif 000007
【図６】
2005045757.tif 000008
【図７】
2005045757.tif 000009
【図８】
2005045757.tif 000010
【図９】
2005045757.tif 000011
【手続補正書】
【提出日】平成16年11月29日(2004.11.29)
【手続補正１】
【補正対象書類名】特許請求の範囲
【補正対象項目名】全文
【補正方法】変更
【補正の内容】
【特許請求の範囲】
【請求項１】
カメラ機能及び無線通信機能を備えた携帯端末との間で画像の送受信を行う動画生成配信システムに用いられるサーバであって、
前記サーバは、生成される動画の基となる原動画を格納したデータベースと、
前記原動画の一部に前記携帯端末から受信した画像を合成して動画を生成する動画生成手段と、
前記携帯端末に前記無線通信機能を介してその動画を配信する配信手段と、を備えていることを特徴とする動画生成配信システム用サーバ。
【請求項２】
動画生成配信システムにより、携帯端末とサーバとの間で画像の送受信を行う動画生成配信方法であって、
前記携帯端末から無線通信機能により前記サーバに画像を送信する画像送信工程と、
前記サーバにおいて、サーバ内に格納されている原動画の一部に前記携帯端末からの画像を合成して動画を生成する動画生成工程と、
前記サーバから前記無線通信機能を介して前記携帯端末に前記動画を配信する動画配信工程と、を備えていることを特徴とする動画生成配信方法。
【請求項３】
無線通信機能を有する携帯端末との間で画像の送受信を行うコンピュータに動画生成配信処理を実行させるための動画生成配信プログラムであって、
前記携帯端末から前記無線通信機能を介して画像を受信するステップと、
コンピュータ内に格納されている原動画の一部に前記画像を合成して動画を生成するステップと、
前記携帯端末に前記動画を配信するステップと、をコンピュータに実行させることを特徴とする動画生成配信プログラム。
【手続補正２】
【補正対象書類名】明細書
【補正対象項目名】０００１
【補正方法】変更
【補正の内容】
【０００１】
本発明は、無線通信を介して画像を送配信するシステムに関し、特に、携帯端末とサーバとの間で画像の送配信を行うシステムに関する。
【手続補正３】
【補正対象書類名】明細書
【補正対象項目名】０００８
【補正方法】変更
【補正の内容】
【０００８】
上記課題を解決するために、本発明に係る動画生成配信システム用サーバは、カメラ機能及び無線通信機能を備えた携帯端末との間で画像の送受信を行う動画生成配信システムに用いられるサーバであって、前記サーバは、生成される動画の基となる原動画を格納したデータベースと、前記原動画の一部に前記携帯端末から受信した画像を合成して動画を生成する動画生成手段と、前記携帯端末に前記無線通信機能を介してその動画を配信する配信手段と、を備えていることを特徴とする。
【手続補正４】
【補正対象書類名】明細書
【補正対象項目名】０００９
【補正方法】変更
【補正の内容】
【０００９】
上記課題を解決するために、本発明に係る動画生成配信方法は、動画生成配信システムにより、携帯端末とサーバとの間で画像の送受信を行う動画生成配信方法であって、前記携帯端末から無線通信機能により前記サーバに画像を送信する画像送信工程と、前記サーバにおいて、サーバ内に格納されている原動画の一部に前記携帯端末からの画像を合成して動画を生成する動画生成工程と、前記サーバから前記無線通信機能を介して前記携帯端末に前記動画を配信する動画配信工程と、を備えていることを特徴とする。
【手続補正５】
【補正対象書類名】明細書
【補正対象項目名】００１０
【補正方法】変更
【補正の内容】
【００１０】
上記課題を解決するために、本発明に係る動画生成配信プログラムは、無線通信機能を有する携帯端末との間で画像の送受信を行うコンピュータに動画生成配信処理を実行させるための動画生成配信プログラムであって、前記携帯端末から前記無線通信機能を介して画像を受信するステップと、コンピュータ内に格納されている原動画の一部に前記画像を合成して動画を生成するステップと、前記携帯端末に前記動画を配信するステップと、をコンピュータに実行させることを特徴とする。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】変更
【補正の内容】
【００１２】
本発明に係る動画生成配信システムによれば、携帯端末の無線通信機能を有効に生かしながら、エンターテイメント性の高い動画を生成し、その動画を携帯端末に配信することができる。